(57)【要約】【課題】  機能表示部以外の領域に設けた複数の発光素子を固有の発光モードで点灯させて、携帯電話機用発光装置の存在を明確にする。【解決手段】  ケース(1)内に収容されかつ制御回路(2)に接続される配線パターン(8)が形成された基板(4)と、配線パターン(8)に接続して基板(4)上に設けられた複数の発光素子(5)と、制御回路(2)に接続されかつ制御回路(2)が着信信号を受信したときに、基板(4)の配線パターン(8)を通じて複数の発光素子(5)を点灯させる点灯駆動回路(6)と、ケース(1)の機能表示部(3)から離間して複数の発光素子(5)に対向してケース(1)に形成された透光部(7)とを携帯電話機に設ける。点灯駆動回路(6)は、制御回路(2)が着信信号を受信したとき、複数の発光素子(5)を特定の点灯パターンで個々に点灯する点灯順序及び点灯時間を記憶し、複数の発光素子(5)が点灯する光をケース(1)の外部より観察できる。【選択図】  図１
2005252871.tif 000002
【特許請求の範囲】
【請求項１】
着信信号を表示する機能表示部を備えたケースと、ケース内に配置されかつ着信信号を受信する制御回路と、制御回路に電力を供給するバッテリとを備えた携帯電話機において、
ケース内に収容されかつ制御回路に接続される配線パターンが形成された基板と、配線パターンに接続して基板上に設けられた複数の発光素子と、制御回路に接続されかつ制御回路が着信信号を受信したときに、基板の配線パターンを通じて複数の発光素子を点灯させる点灯駆動回路と、ケースの機能表示部から離間して複数の発光素子に対向してケースに形成された透光部とを備え、
点灯駆動回路は、複数の発光素子を特定の点灯パターンで個々に点灯する点灯順序及び点灯時間を記憶し、
制御回路が着信信号を受信したときに、制御回路は点灯駆動回路を駆動して、複数の発光素子を点灯し、透光部を通じて複数の発光素子が点灯する光をケースの外部より観察できることを特徴とする携帯電話機用発光装置。
【請求項２】
発光素子は、基板上に固定された複数の発光ダイオード又はＥＬである請求項１に記載の携帯電話機用発光装置。
【請求項３】
操作ボタンを有する透光性の操作部と、スイッチカバーとの間に基板を配置した請求項１又は２に記載の携帯電話機用発光装置。
【請求項４】
バッテリとケースとの間に配置した基板に設けられた発光素子に対向してケースに透光部が形成される請求項１〜３の何れか１項に記載の携帯電話機用発光装置。
【請求項５】
ケースは、コアケースと、コアケースに表側で取付けられるカバーケースと、コアケースに裏側で取付けられるバックケースとを備え、基板は、コアケースとカバーケースとの間又はコアケースとバックケースとの間に配置される請求項１〜４の何れか１項に記載の携帯電話機用発光装置。
【請求項６】
発光素子は少なくとも５個備え、点灯駆動回路は、リズム感及び時間差をもって各発光素子を順次点灯させる請求項１〜５の何れか１項に記載の携帯電話機用発光装置。
【請求項７】
基板は、ケース内に設けられたバッテリの透光性のカバー内に配置され、バッテリは、制御回路に電力を供給する正側端子及び負側端子と、正側端子及び負側端子から離間して一対の中継端子が設けられ、中継端子は、制御回路と基板の配線パターンとの間に接続される請求項１〜６の何れか１項に記載の携帯電話機用発光装置。
【請求項８】
発光素子を支持する基板は、バッテリの壁面に固定される請求項１〜７の何れか１項に記載の携帯電話機用発光装置。
【請求項９】
点灯駆動回路は、着信信号を受信した後、発光素子を一定時間点灯させるタイマを備えた請求項１〜８の何れか１項に記載の携帯電話機用発光装置。
【請求項１０】
点灯駆動回路は、内蔵された着信音と同期して複数の発光素子を特定のパターンで点灯する請求項１〜９の何れか１項に記載の携帯電話機用発光装置。
【発明の詳細な説明】
【技術分野】
【０００１】
本発明は、発光装置、特に携帯電話機が着信信号を受信したときに点灯する携帯電話機用発光装置に関連する。
【背景技術】
【０００２】
例えば、特許文献１には、可撓性基板に形成された接続端子とプリント基板とを導電線入り弾性体を介して均質に取付接続できる液晶表示器取付接続装置が開示されている。この接続装置では、液晶表示器と可撓性基板と導光板とを取付け保持する保持部材と、ＬＥＤチップと露出された接点部とを備えたプリント基板、導電線入り弾性体及び波形弾性体とを備えている。また、特許文献２には、携帯用端末のバックライト用発光ダイオードの駆動回路が開示されている。この駆動回路は、表示装置のバックライト用発光ダイオードと、発光ダイオードに定電流を供給する電圧制御型定電流回路と、携帯用端末への着信信号又は発光釦の押下信号又は機能釦の押下信号又は携帯用端末の作動信号のいずれかの信号の入力で作動し、電圧制御型定電流回路の定電流生成のための基準電圧を携帯用端末の電池電圧の変動に対応して連続的に変化させる基準電圧制御回路とを備え、発光ダイオードに流れる電流携帯用端末の電池電圧の変動に対応させて連続的に変化させる。特許文献３は、通信機能以外の機能を使用中であることを使用者以外の人に認識させる携帯電話機を示す。この携帯電話機は、各種の表示を行う表示部に加えて、動作表示器として機能する液晶又は有機ＥＬ（エレクトロ・ルミネッセンス）によるサブ表示器が設けられる。
【０００３】
【特許文献１】特開２０００−１４７５４４（図１、明細書段落［００１２］）
【特許文献２】特開２００１−３２５８２４（図１、明細書段落［００１９］）
【特許文献３】特開２００２−１４１９８６（図８、明細書段落［００３１］）
【発明の開示】
【発明が解決しようとする課題】
【０００４】
しかしながら、従来の携帯電話機では、着信信号を受信したときに単一の発光部が点灯するに過ぎないため、着信信号を受信したか否かを明確に認識することができない難点がある。また、多種多様の携帯電話機の形状が基本的に形状が近似し、殆ど同一の場合もある場合に、どの携帯電話機が着信信号を受信したか否か又は他人が所有する携帯電話機とどのように相違するかを明確に認識することができなかった。
そこで、本発明は、機能表示部以外の領域で固有の発光モードで点灯する複数の発光素子を備えた携帯電話機用発光装置を提供することを目的とする。
【課題を解決するための手段】
【０００５】
本発明による携帯電話機用発光装置は、着信信号を表示する機能表示部(3)を備えたケース(1)と、ケース(1)内に配置されかつ着信信号を受信する制御回路(2)と、制御回路(2)に電力を供給するバッテリ(10)と、ケース(1)内に収容されかつ制御回路(2)に接続される配線パターン(8)が形成された基板(4)と、配線パターン(8)に接続して基板(4)上に設けられた複数の発光素子(5)と、制御回路(2)に接続されかつ制御回路(2)が着信信号を受信したときに、基板(4)の配線パターン(8)を通じて複数の発光素子(5)を点灯させる点灯駆動回路(6)と、ケース(1)の機能表示部(3)から離間して複数の発光素子(5)に対向してケース(1)に形成された透光部(7)とを備えている。点灯駆動回路(6)は、複数の発光素子(5)を特定の点灯パターンで個々に点灯する点灯順序及び点灯時間を記憶し、制御回路(2)が着信信号を受信したときに、制御回路(2)は点灯駆動回路(6)を駆動して、複数の発光素子(5)を点灯し、複数の発光素子(5)は固有の発光モードで順次点灯する。透光部(7)を通じて複数の発光素子(5)が点灯する光をケース(1)の外部より観察できるので、自己の携帯電話機の存在を明確に確認することができる。
【発明の効果】
【０００６】
前記の通り、本発明による携帯電話機用発光装置では、機能表示部以外の領域で固有の発光モードで点灯する複数の発光素子を設けたので、発光素子の点灯状態によって自己所有の携帯電話機及びその着信状態を明確に確認することができる。また、内部スペースの小さな携帯電話機でもイルミネーション効果を増進することができる。
【発明を実施するための最良の形態】
【０００７】
以下、本発明による携帯電話機用発光装置の実施の形態を図１〜図１０について説明する。
図１及び図２に示すように、本発明による携帯電話機用発光装置は、コアケース(13)と、コアケース(13)の表側に取付けられるカバーケース(14)と、コアケース(13)の裏側に取付けられるバックケース(15)とを有するケース(1)を備え、ケース(1)内には電話機の種々の構成部品が収容される。コアケース(13)の内部には、着信信号を受信する制御回路(2)を取り付けたスイッチカバー(22)と、スイッチカバー(22)の上に配置されかつ配線パターン(8)が形成された基板(4)と、基板(4)上に配置されかつ複数の楕円状の操作ボタン(12)を取り付けた操作部(21)と、スイッチカバー(22)の下方に配置されかつ制御回路(2)及びその他の電気回路に電力を供給するバッテリ(10)と、液晶で着信信号を表示する機能表示部(3)とが配置される。コアケース(13)とカバーケース(14)との間又はコアケース(13)とバックケース(15)との間に基板(4)を配置してもよい。機能表示部(3)は、カバーケース(14)に形成された開口部(23)から外部に露出される。
【０００８】
基板(4)は、可撓性基板でも剛性のある基板でもよく、機能表示部(3)から離間して配置される。基板(4)上には、配線パターン(8)に接続される複数の発光素子(5)と、基板(4)の配線パターン(8)を通じて複数の発光素子(5)の各々を個別に点灯させる点灯駆動回路(6)とが設けられる。基板(4)上の配線パターン(8)は、可撓性の配線導体(20)を介して制御回路(2)に接続される。発光素子(5)は、少なくとも５個、好ましくは少なくとも１０個又は１３個以上の同一色又は異なる発光色で発光する発光ダイオード又はＥＬとして基板(4)に設けることができる。点灯駆動回路(6)は、複数の発光素子(5)を特定の点灯パターンで個々に点灯する点灯順序及び点灯時間を記憶する。例えば、点灯駆動回路(6)は、内蔵された着信音と同期して特定のパターンでリズム感をもって複数の発光素子(5)を個別に点灯することができる。また、点灯駆動回路(6)は、時間差をもって又は同時に順次又は反復して複数の発光素子(5)を点灯させることができる。また、点灯駆動回路(6)は、着信信号を受信した後、発光素子(5)を一定時間点灯させるタイマを備えてもよい。
透光部(7)は、例えば「龍」の図形の貫通孔(25)により形成される。複数の発光素子(5)が点灯すると、発光素子(5)の光は、包囲体(9)及びバックケース(15)に形成された透光部(7)を介してバックケース(15)の外部に放出される。バックケース(15)を透光性の樹脂により形成して、透光部(7)をバックケース(15)に設けることができる。また、透光性の樹脂により形成したバックケース(15)の表面に非透光性の塗料でコーティングを被覆し、「龍」等の所望の図形をコーティングで抜き出すと、所望の図形の内部で発光素子(5)が点灯してイルミネーション効果を増進することができる。また、複数の発光素子(5)が交互に又は同時に点灯すると、透光部(7)を通じて生きた「龍」のように光が放出される。
【０００９】
携帯電話機の電気回路は、図３に示すように、制御回路(2)と、制御回路(2)に接続されて駆動される点灯駆動回路(6)と、点灯駆動回路(6)の各出力端子に接続された発光素子(5)と、制御回路(2)及び点灯駆動回路(6)に電力を供給するバッテリ(10)とを備えている。また、一般の携帯電話機と同様に、機能表示部(3)と、操作部(21)と、アンテナ(31)を備えた送受信部(30)と、音声動作部(32)とが制御回路(2)に接続される。送受信部(30)は、制御回路(2)にそれぞれ接続された送信部(33)及び受信部(34)と、送信部(33)と受信部(34)とアンテナ(31)との間に設けられる切替スイッチ(35)とを備えている。音声動作部(32)は、制御回路(2)にそれぞれ接続された音声発信装置(36)と、音声受信装置(37)とを備えている。
【００１０】
携帯電話機を組み立てた後に、制御回路(2)が着信信号を受信したときに、制御回路(2)は、配線導体(20)を介して点灯駆動回路(6)に駆動信号を送出するので、点灯駆動回路(6)は、記憶する点灯順序及び点灯時間に従って特定の点灯パターンで複数の発光素子(5)を個々に点灯する。点灯駆動回路(6)は、制御回路(2)が着信信号を受信する間、発光素子(5)を点灯するが、点灯駆動回路(6)にタイマを内蔵し、制御回路(2)が受信する着信信号が停止した後もタイマにより一定時間発光素子(5)を点灯させることができる。
【００１１】
本実施の形態では、発光素子(5)を種々の位置に配置して発光素子(5)からの発光をケース(1)の外部に照射させることができる。第１の例として図１に示すように、可撓性の基板(4)は、軟質で光透過性の樹脂により形成された操作部(21)と機能スイッチの上に配置されたスイッチカバー(22)との間に配置される。操作部(21)の上面に形成された複数の楕円状の操作ボタン(12)は、カバーケース(14)に形成された楕円状の貫通孔(29)の外部に露出するので、貫通孔(29)は、発光素子(5)の光を外部に放出する透光部(7)となる。従って、基板(4)は、ケース(1)に取付けられた透光性のカバーとなる操作部(21)の内側に配置される。操作部(21)に形成された複数の突起(24)が貫通する複数の貫通孔(4a)が基板(4)に形成され、突起(24)は、基板(4a)の貫通孔(4a)及びスイッチカバー(22)の貫通孔(22a)を通り、主基板(11)上に設けられた機能スイッチ(26)(図４)に接触する。操作ボタン(12)を押圧すると、突起(24)が機能スイッチ(26)を押圧して、機能スイッチ(26)がオンとなる。配線パターン(8)を介して各発光素子(5)に接続されるチップ状の点灯駆動回路(6)が基板(4)上に配置され、点灯駆動回路(6)は配線パターン(8)及び配線導体(20)を介して制御回路(2)に接続される。操作部(21)とカバーケース(14)の貫通孔(29)は透光部(7)を形成する。透光部(7)は、ケース(1)の複数の発光素子(5)に対向してケース(1)に形成される。例えば発光ダイオードにより構成される基板(4)に固定された発光素子(5)が、点灯駆動回路(6)により点灯されるとき、発光素子(5)から照射される光は操作部(21)を通じてケース(1)の外部に放出される。
【００１２】
第２の例として、図５に示すように、発光素子(5)及び点灯駆動回路(6)を備えた基板(4)をバッテリ(10)の壁面に貼着し、バッテリ(10)を透明な包囲体(9)内に配置し、発光素子(5)に対向して透光部(7)がバックケース(15)に形成される。発光素子(5)は発光ダイオードでもＥＬ素子でもよい。また、点灯駆動回路(6)は、発光素子(5)と共に基板(4)に実装してもよく、基板(4)に実装しない場合は、バッテリ(10)に隣接して包囲体(9)内に点灯駆動回路(6)を配置し、図示しない可撓性配線導体を介して点灯駆動回路(6)を発光素子(5)及び制御回路(2)に接続する。図６に示すように、バッテリ(10)は、制御回路(2)に電力を供給する正側端子(27)及び負側端子(28)と、正側端子(27)及び負側端子(28)から離間して一対の中継端子(40,41)が設けられる。コアケース(13)には、制御回路(2)に接続されかつバッテリ(10)の正側端子(27)及び負側端子(28)にそれぞれ接続される正側接続端子(42)及び負側接続端子(43)と、制御回路(2)に接続されかつバッテリ(10)の中継端子(40,41)に接続される駆動端子(44,45)とが設けられる。中継端子(40,41)は、バッテリ(10)内に配置された基板(4)の配線パターン(8)に接続され、制御回路(2)、点灯駆動回路(6)及び発光素子(5)とを電気的に接続することができる。
【００１３】
図７は、有機ＥＬで基板(4)上に複数の発光素子(5)を形成する例を示す。有機ＥＬにより発光素子(5)を極めて薄く形成できるので、バッテリ(10)と共に透光性の樹脂により形成された包囲体(9)内に基板(4)を収容することができる。
【００１４】
前記の実施の形態では、制御回路(2)が着信信号を受信したときに、制御回路(2)は、配線導体(20)を介して点灯駆動回路(6)に駆動信号を送出する例を示したが、制御回路が着信信号を受信したときに、配線導体を介さずに、非接触で点灯駆動回路に着信信号の受信を伝達することもできる。例えば、制御回路が着信信号を受信したときに、制御回路は電波等の電磁波、電磁誘導又は電気振動を発生し、点灯駆動回路は、制御回路の電磁波、電磁誘導又は電気振動を検出したとき、一定時間発光素子を点灯させることもできる。
【００１５】
図８は、本発明の他の実施の形態による発光装置を備えた開閉式携帯電話機の正面斜視図、図９は、図８に示す携帯電話機の分解斜視図である。図示のように、この携帯電話機は、バックケース(15)と、バックケース(15)に回転可能に軸着されたカバーケース(14)とを有するケース(1)を備えている。バックケース(15)の底部には発光素子(5)に供給する電流を発生するバッテリ(10)が収容され、バックケース(15)に装着されるバックカバー(15a)によりバッテリ(10)が被覆される。カバーケース(14)の内部には、制御回路（図示せず）と、プリント基板等の基板(4)と、基板(4)上に形成されかつ点灯駆動回路(6)に接続された配線パターン(8)と、配線パターン(8)に取付けられた複数の発光素子(5)とが内蔵され、発光素子(5)の光を外部に放出する透光部(7)が形成された表カバー(14a)がカバーケース(14)に取付けられる。また、図示しない機能表示部がカバーケース(14)の内側に形成される。
【００１６】
本実施の形態では、カバーケース(14)が表側となり携帯電話機が放置されていても、着信時にカバーケース(14)の透光部(7)から光が照射されるので、自己所有の携帯電話機の所在を明確に確認することができる。
【００１７】
図１０は、図９に示す基板(4)上の配線パターン(8)により発光素子(5)を接続する代わりに、ワイヤ又は導線(16)により複数の発光素子(5)を電気的に接続して、表カバー(14a)を除去した例を示す。
【産業上の利用可能性】
【００１８】
本発明は、華やかで独創的なイルミネーション効果を奏するため、通話及びメールの着信信号を受信したときに点灯する表示装置として携帯電話に適用できる。
【図面の簡単な説明】
【００１９】
【図１】本発明の実施の形態による発光装置を備えた携帯電話機の分解斜視図
【図２】図１に示す携帯電話機の背面斜視図
【図３】本発明による発光装置を備えた携帯電話機の電気回路図
【図４】図１に示す携帯電話機の断面図
【図５】携帯電話機に内蔵されるバッテリの斜視図
【図６】バッテリの電源端子の接続状態を示す斜視図
【図７】携帯電話機に内蔵されるバッテリの分解斜視図
【図８】本発明の他の実施の形態による発光装置を備えた開閉式携帯電話機の正面斜視図
【図９】図８の携帯電話機の分解斜視図
【図１０】ワイヤにより発光素子を接続した例を示す斜視図
【符号の説明】
【００２０】
(1)・・ケース、  (2)・・制御回路、  (3)・・機能表示部、  (4)・・基板、  (5)・・発光素子、  (6)・・点灯駆動回路、  (7)・・透光部、  (8)・・配線パターン、  (9)・・包囲体、  (10)・・バッテリ、  (11)・・主基板、  (12)・・操作ボタン、  (13)・・コアケース、  (14)・・カバーケース、  (15)・・バックケース、  (21)・・操作部、  (22)・・スイッチカバー、  (22a)・・貫通孔、  (24)・・突起、  (25)(29)・・貫通孔、  (26)・・機能スイッチ、  (27)・・正側端子、  (28)・・負側端子、  (30)・・送受信部、  (31)・・アンテナ、  (32)・・音声動作部、  (33)・・送信部、  (34)・・受信部、  (35)・・切替スイッチ、  (36)・・音声発信装置、  (37)・・音声受信装置、  (40,41)・・中継端子、
【図１】
2005252871.tif 000003
【図２】
2005252871.tif 000004
【図３】
2005252871.tif 000005
【図４】
2005252871.tif 000006
【図５】
2005252871.tif 000007
【図６】
2005252871.tif 000008
【図７】
2005252871.tif 000009
【図８】
2005252871.tif 000010
【図９】
2005252871.tif 000011
【図１０】
2005252871.tif 000012